(57)【特許請求の範囲】
【請求項１】
内筒皿部材の周側壁に切欠を介して弾性変位可能な押え爪片を形成し、この押え爪片の外面に凸部を設け、垂直切欠部を有する外筒部材を前記内筒皿部材に外嵌合すると、前記外筒部材の内壁面が前記凸部を押し付け、これにより前記押え爪片は前記周側壁に接続する基部を基準として半径内方向に位置変位し、その内壁面が固形状の棒状化粧品の外周面の一部に面接触状態に喰い込み、該棒状化粧品を支持する棒状化粧品容器の抜け防止構造であって、前記外筒部材の内壁面の上部内壁面を、該上部内壁面に段差状に連続する下部内壁面に比して内径寸法が大きい拡径とし、この拡径に内筒皿部材の押え爪片の凸部が位置するときは、外筒部材の前記上部内壁面の押圧により該押え爪片は略半径内方向に位置変位しない一方、前記下部内壁面に押え爪片の凸部が位置するときは、該下部内壁面の押圧により押え爪片は半径内方向に位置変位し、さらに、前記垂直切欠部は、長い垂直切欠部と、この長い垂直切欠部にオフセットした状態で連通する上位の短い垂直切欠部とから成り、前記長い垂直切欠部の上端縁は、棒状化粧品容器の使用時の第２上死点であり、一方、前記短い垂直切欠部の上端縁は、棒状化粧品を前記内筒皿部材に差し込むための第１上死点であることを特徴とする棒状化粧品容器の抜け防止構造。
【発明の詳細な説明】
【技術分野】
【０００１】
本発明は、棒状化粧品容器の抜け防止構造に関する。
【背景技術】
【０００２】
例えば特許文献１には、「略中央部より下部に、下端に達するように一対の軸心方向の切欠部が形成された縦長状の外筒部材と、この外筒材内を上下移動可能に取付けられ、かつ外周部に一対の長い垂直切欠部より外方へ突出する一対の係合ピンを有する口紅等の棒状化粧品を支持する内筒皿部材と、前記外筒部材の下部外周部を回転可能に覆うと共に、前記内筒皿部材の一対の係合ピンと係合する一対の螺旋溝が内壁面に形成された螺旋部材とを備える棒状化粧品容器」が記載されている。
【０００３】
この種の口紅等の棒状化粧品は、周知のように、棒状化粧品が「皿体」とか、「中皿」と称される内筒皿部材から容易に抜けない「棒状口紅等の抜け防止構造」が要求されている。
【０００４】
そこで、特許文献２や特許文献３は、棒状化粧品容器の抜け防止構造に関する技術文献である。これらの特許文献に記載の「棒紅等の抜け防止構造」は、それぞれ、皿体或いは中皿の周側壁にＵ字形状、Ｖ字形状等の切欠を介して弾性舌片を形成し、この弾性舌片の内面に凸部を設けるものである。例えば特許文献２の第３図には、皿体の周側壁にＵ字形状の切欠４を形成することにより、弾性変位可能な下向き弾性舌片５を形成し、この下向き弾性舌片５の略中央部に任意形状の凸部６を設けたものである（符号は特許文献２に記載のもの）。
【０００５】
しかしながら、弾性舌片５の内面に凸部６を突設する構造では、例えば軟らかい棒紅を筒状皿体に差し込むと、前記凸部６を通過する必要があるので、棒紅の側面に該凸部６の横幅に相当する傷ができるので、好ましいものではない。確かに、特許文献２や特許文献３の棒紅等の抜け防止構造は、いわゆる棒紅の紅肉に凸部が喰い付くので、棒紅が周方向に回らないという利点がある。しかしながら、前記傷は縦方向の溝であることから、差し込み方向とは逆方向（抜ける方向）の対策としては不十分なものである。また製造段階から、既に棒紅の紅肉に凸部を起因とする傷（縦方向の溝）ができるという問題点もある。そこで、現在、このような問題点を解消することが期待されている。そこで、このような問題点を解決するために本発明が出現した。
【先行技術文献】
【特許文献】
【０００６】
【特許文献１】特許第５２５８１８３号公報
【特許文献２】実公平５−３４５７５号公報
【特許文献３】実公平６−４８３９号公報
【発明の概要】
【発明が解決しようとする課題】
【０００７】
本願発明の主たる目的は、製造段階から、既に棒紅等の棒状化粧品の基端部側の外周面に押え爪片の凸部を起因とする傷（縦方向の溝）ができるという問題点を解消する共に、棒紅等の棒状化粧品が筒状皿体から抜けないようにその基端部の外周面の一部を前記押え爪片の内壁面で面接触状態に喰い込むようにして押え付けることである。
【課題を解決するための手段】
【０００８】
本発明の棒状化粧品容器の抜け防止構造は、内筒皿部材の周側壁に切欠を介して弾性変位可能な押え爪片を形成し、この押え爪片の外面に凸部を設け、垂直切欠部を有する外筒部材を前記内筒皿部材に外嵌合すると、前記外筒部材の内壁面が前記凸部を押し付け、これにより前記押え爪片は前記周側壁に接続する基部を基準として半径内方向に位置変位し、その内壁面が固形状の棒状化粧品の外周面の一部に面接触状態に喰い込み、該棒状化粧品を支持する棒状化粧品容器の抜け防止構造であって、前記外筒部材の内壁面の上部内壁面を、該上部内壁面に段差状に連続する下部内壁面に比して内径寸法が大きい拡径とし、この拡径に内筒皿部材の押え爪片の凸部が位置するときは、外筒部材の前記上部内壁面の押圧により該押え爪片は略半径内方向に位置変位しない一方、前記下部内壁面に押え爪片の凸部が位置するときは、該下部内壁面の押圧により押え爪片は半径内方向に位置変位し、さらに、前記垂直切欠部は、長い垂直切欠部と、この長い垂直切欠部にオフセットした状態で連通する上位の短い垂直切欠部とから成り、前記長い垂直切欠部の上端縁は、棒状化粧品容器の使用時の第２上死点であり、一方、前記短い垂直切欠部の上端縁は、棒状化粧品を前記内筒皿部材に差し込むための第１上死点であることを特徴とする。
【０００９】
本発明の前記ならびにそのほかの目的と新規な特徴は、次の説明を添付図面と照らし合わせて読むと、より完全に明らかになるであろう。ただし、図面はもっぱら解説のためのものであって、本発明の技術的範囲を限定するものではない。
【発明の効果】
【００１０】
（ａ）請求項１に記載の発明は、長い垂直切欠部の上端縁は、棒状化粧品容器の使用時の第２上死点であり、一方、前記上端縁から横或いは斜め方向にコースが変わって該垂直切欠部に上方方向に連続する短い垂直切欠部の上端縁は、棒状化粧品を前記内筒皿部材に差し込むための第１上死点であるから、いわば、二段繰出しが可能となり、本願発明の主たる目的を達成する口紅等の棒状化粧品容器の抜け防止構造を得ることができる。
【図面の簡単な説明】
【００１１】
図１乃至図８は本発明の第１実施形態を示す各説明図、図９乃至図１２は本発明の第２実施形態を示す各説明図。
【図１】第１実施形態の縦断面説明図。
【図２】外筒部材の斜視図。
【図３】外筒部材の縦断面概要説明図（ハッチングは省略）。
【図４】内筒皿部材の斜視図。
【図５】内筒皿部材の縦断面概要説明図（ハッチングは省略）。
【図６】図５の６−６線拡大断面図。
【図７】（ａ）外筒部材の拡径に内筒皿部材の押え爪片の凸部が位置するときの概略説明図。（ｂ）外筒部材の内壁面に接触する押え爪片の状態を示す拡大概略説明図。
【図８】（ａ）外筒部材の下部内壁面に押え爪片の凸部が位置するときの概略説明図。（ｂ）押え爪片の内壁面が棒状化粧品の外周面の一部に面接触状態に喰い込こんだ状態を示す拡大概略説明図。
【図９】第２実施形態の外筒部材を示す縦断面概要説明図（ハッチングは省略）。
【図１０】差し込み時、内筒皿部材の押え爪片の位置の説明図。
【図１１】使用時、内筒皿部材の押え爪片の位置の説明図。
【図１２】第２実施形態の縦断面説明図。
【発明を実施するための最良の形態】
【００１２】
図１乃至図８は、本発明の第１実施形態の棒状化粧品容器（以下、「収納容器」という）である。この収納容器１は、例えばハカマ部材２と、このハカマ部材２内に挿入される内壁面に一対の螺旋溝３が形成された螺旋部材４と、この螺旋部材４内へ略中央部にリング状係止部分５が外方に突出するように形成され、かつ下部が回転可能に取付けられる縦長状の外筒部材６と、この外筒部材６の下部に軸心方向に形成された一対の長い垂直切欠部７と、外筒部材６内に上下移動可能に取付けられた固形化した口紅等の棒状化粧品８を支持する内筒皿部材９と、この内筒皿部材９の下部側の外周壁に形成され、かつ外筒部材６の前記垂直切欠部７及び螺旋部材４の前記螺旋溝３に同時に係合する単数又は複数個の係合ピン１０と、ハカマ部材２の上部と嵌合し、かつ外筒部材６のリング状係止部分５と係止して抜け脱を防止すると共に、上部側の外周壁にキャップ嵌合部１１が形成されたキャップ嵌合部材１２と、前記キャップ嵌合部１１と着脱可能に嵌合する外筒部材６の上部を覆うキャップ１３とから成る。
【００１３】
そして、前記一対の垂直切欠部７、７は、例えば図３で示すように、外筒部材６の下端から略リング状係止部分５に至るまで、横方向かつ上下方向に所定幅を有して直線状に切欠されている。このような構造は、特許文献１に記載されているので、細部的事項の説明は割愛する。
【００１４】
上記構成の収納容器１は、ハカマ部材２と外筒部材６の上部とを手で持って回動させることにより、内筒皿部材９の一対の係合ピン１０が外筒部材６の一対の垂直切欠部７と螺旋部材４の一対の螺旋溝３によって上下移動して、外筒部材６の上部より口紅８を出没させて使用することができる。
【００１５】
さて、図２乃至図８を参照にして、本発明の特定要件に関係する各部材の構造を説明する。図２は外筒部材６の斜視図、図３は外筒部材６の縦断面説明図である。これらの図で示すように、縦長状の外筒部材６は、全体が「竹」の一部を切ったように、長い略円筒状の筒体とし、その略中央部に外に半円状に膨らませてリング状係止部分５を設け、このリング状係止部分５を基準にして、下部筒部分６ａと、この下部筒部分６ａに連続する上部筒部分６ｂとを有している。
【００１６】
上記下部筒部分６ａには、前述したように下端から略リング状係止部分５に至るまで、横方向かつ上下方向に所定幅を有して直線状に切欠された垂直案内部が設けられている。実施形態の垂直案内部は、一対の長い垂直切欠部７、７であり、これらの長い垂直切欠部は、互いに対峙している。この長い垂直切欠部は単数でも良いが、内筒皿部材９を上下方向に案内する機能を有することから、内筒皿部材９のスムースな作動性を考慮し、複数個であることが望ましい。
【００１７】
一方、上部筒部分６ｂの上端部は、例えば「竹」を斜めに切った如く、上端が傾斜状となっている。もちろん、前記上端部は水平状にカットされた平らなものであっても良い。しかして、実施形態では、上部筒部分６ｂの上部内壁面１５を、該上部内壁面に段差状に連続する下部内壁面１７に比して内径寸法が大きい拡径としている。
ところで、前記「段差状」を、ここでは水平状態の環状段差部１６と表現する。この環状段差部１６を基準にすると、前記上部内壁面１５の内径と下部内壁面１７の内径との寸法差は、例えば図３、図７、図８の構成から判断するとやや微妙なものであるが、発明の課題を考慮して前記内径差を設定している。
【００１８】
したがって、前記拡径に、後述する内筒皿部材９の押え爪片２５の凸部２６が位置するときは、外筒部材６の内壁面（実施形態では内径寸法が大きい上部内壁面１５）の押圧により、該押え爪片２５は略半径内方向に位置変位しない一方、前記下部内壁面１７に押え爪片２５の凸部２６が位置するときは、外筒部材６の内壁面（実施形態では内径寸法が小さい下部内壁面）１７の押圧により該押え爪片２５は半径内方向に位置変位する。
【００１９】
なお、上部筒部分６ｂの下部内壁面１７の内径と下部筒部分６ａの内壁面の内径は同一であることから、ここでは、上部筒部分６ｂの上部内壁面１５に対して、上部筒部分６ｂの下部内壁面１７と下部筒部分６ａの内壁面１８の両方を合わせて「残余の内壁面」という。したがって、実施形態の外筒部材６の上端部の内径は、残余の内壁面の内径よりも若干大きい。
【００２０】
次に、図４は内筒皿部材９の斜視図、図５は内筒皿部材の縦断面説明図、そして、図６は図５の６−６線拡大断面図である。これらの図で示すように、内筒皿部材９は、全体が長い略円筒状の筒体とし、その略中央部寄りの部位或いは上端部寄りの部位に略円盤状の水平仕切部２０を設け、この水平仕切部２０を基準にして、前述した係合ピン１０を有する下部筒部分９ａと、この下部筒部分９ａに連続する上部筒部分９ｂとを有している。なお、内筒皿部材９の内壁面の適宜箇所にリブを設けることも可能である。
【００２１】
ところで、前記水平仕切部２０の略中心部に円形、角形等の貫通孔２０ａが形成されている。この貫通孔２０ａは、例えば固形化した口紅等の棒状化粧品８を内筒皿部材９の上部筒部分９ｂの内壁面２１に差し込むとき、内部の空気を下部筒部分９ａの内壁面２２側に逃がす機能を有する。なお、貫通孔２０ａはあっても、なくても良いし、また必ずしも中心部に設ける必要はなく、さらに、複数個設けても良い。
【００２２】
さて、実施形態では、内筒皿部材９の上部筒部分９ｂの周側壁に、例えば略Ｕ字形状の切欠２４を介して弾性変位可能な押え爪片２５を形成し、この押え爪片２５の外面にやや横長状の凸部２６を設けている。この凸部２６の形状は特に問わない。また単数又は複数を問わない。付言すると、発明の課題を達成することができるのであれば、凸部２６を含む押え爪片２５の形状は特に問わず、円形、多角形、Ｗ字形等でも良く、また弾性変位する方向はどの方向であっても良い。さらに、複数の場合には、上下の位置は異なっていても良い。であるから、切欠２４の形状は任意に設計変更し得る事項である。
【００２３】
しかし、押え爪片２５の凸部２６は、望ましくは該押え爪片の自由端部（下端部）の外面に、例えば周方向に一体成形され、また舌片状に複数個形成され、複数個の場合には、各押え爪片は、周方向に互いに対峙する位置（実施形態２個）に設けられている。もちろん、発明の課題を逸脱しない範囲で、３個、４個、５個という具合に個数を増やし、これらを周方向に所定間隔を有して配設しても良い。また凸部２６の位置は自由端部（下端部）の外面に限定するものではなく、発明の課題を達成することができるのであれば、押え爪片２５の中央部或いは中央部寄りの部位であっても良い。
【００２４】
また内筒皿部材９は、硬質性の合成樹脂材で長筒状に形成されていることから、指で強く摘まんでも容易に変形しない働き（剛性的機能）、周側壁に接続する基端部２５ａを残し、例えばＵ字形状のスリットを介して舌片状に押え爪片２５を形成した場合には、その自由端部２５ｂを指で外から半径内方向に押し込むと、該自由端部２５ｂ側から前記周側壁の内壁面（実施形態では上部筒部分９ｂの内壁面）２１を内に超えて若干傾倒する働き（弾性変位機能）、その位置変位した状態で前記指を離すと、前記自由端部２５ｂが材質自体の復帰力により、外へ略垂直状態に復帰する働き（弾性復帰変位機能）を有するものである。
【００２５】
そこで、図７及び図８に押え爪片２５の働きを概略的に示す。図７の（ａ）は外筒部材６の拡径に内筒皿部材９の押え爪片２５の凸部２６が位置するときの概略説明図、図７の（ｂ）は、外筒部材６の内壁面に接触する押え爪片２５の状態を示す拡大説明図である。
一方、図８の（ａ）は、外筒部材６の下部内壁面１７に押え爪片２５の凸部２６が位置するときの概略説明図、図８の（ｂ）は、押え爪片２５の内壁面が棒状化粧品８の外周面の一部に面接触状態に喰い込こんだ状態を示す拡大説明図である。
【００２６】
図７と図８の対比から明らかなように、本発明の棒状化粧品容器の抜け防止構造Ｘは、所定長の外筒部材６を内筒皿部材５に外嵌合すると、或いは所定長の内筒皿部材５を外筒部材６に嵌挿すると、前記外筒部材６の内壁面１７が凸部２６を押し付け、これにより押え爪片２５は周側壁に接続する基部２５ａを基準として、その自由端部２５ｂ側から半径内方向に位置変位し、その内壁面が固形状の棒状化粧品８の外周面の一部に面接触状態に喰い込み、該棒状化粧品８を支持するものである。
【００２７】
したがって、今仮に、固形状の棒状化粧品８を内筒皿部材９の上部筒部分９ｂに差し込む場合、図７で示すように、内筒皿部材９の上端ａと外筒部材６の上部筒部分６ｂの下辺側の上端ｂが略位置する所を「皿の上死点位置Ｐ１」とするならば、製造時、この上死点位置Ｐ１の位置で棒状化粧品８の基端部を内筒皿部材９に差し込むと、該棒状化粧品８の基端部には全く傷が付かない。
【００２８】
一方、上死点位置Ｐ１の位置で内筒皿部材９に棒状化粧品８の基端部を差し込んだ後、適宜に内筒皿部材９を下動させ、例えば図８で示すように、押え爪片２５の凸部２６が外筒部材６の内径寸法が小さい下部内壁面１７に押圧される位置（例えば皿の略中間位置、使用位置）Ｐ２にすると、弾性舌片の凸部を起因とする傷（縦方向の溝）ができるという問題点を解消すること共に、押え爪片２５の内面で棒紅等の棒状化粧品が、いわゆる筒状皿体から抜けないようにその基端部側の外周面の一部を、前記押え爪片２５の前記外周面の上下方向に略沿った内壁面により、いわば面接触状態に喰い込むようにして押え付けることができる。
【００２９】
それ故に、本発明の棒状化粧品容器の抜け防止構造Ｘを適用することができる棒状化粧品容器は、例えば図１で示すように、略中央部より下部に軸心方向の長い垂直切欠部７が形成された縦長状の外筒部材６と、この外筒材内を上下移動可能に取付けられ、かつ外周部に長い垂直切欠部７より外方へ突出する係合ピン１０を有すると共に、棒状化粧品８を支持する内筒皿部材９と、前記外筒部材の下部外周部を回転可能に覆うと共に、前記係合ピンと係合する螺旋溝３が内壁面に形成された螺旋部材４とを備えているのが望ましい。なお、請求項１に記載の本発明は、内筒皿部材９を主要部としているため、先に内筒皿部材９に棒状化粧品８を差し込んでから外筒部材６に装着することが可能であるが、例えば請求項３に記載のような段差のある外筒部材６を用いると、内筒皿部材９の上下動のみで、抜け防止構造Ｘを利用することが可能となるため、実施形態として好ましいものである。
【実施例】
【００３０】
この欄では、図９乃至図１２に示す本発明の第２実施形態の棒状化粧品容器の抜け防止構造Ｘ１を説明する。なお、この第２実施形態は、第１実施形態の特徴をそのまま含む利用発明なので、第１実施形態と同一の部分には同一の符号を付して重複する説明を割愛する。図９は第２実施形態の外筒部材６Ａを示す縦断面説明図、図１０は棒状化粧品の差し込み時（製造時）、内筒皿部材の押え爪片の位置を示す説明図、そして、図１１は棒状化粧品容器１Ａの使用時、内筒皿部材９の押え爪片２５の位置の説明図である。この第２実施形態が前記第１実施形態と主に異なる事項は、棒状化粧品容器１Ａが二段式の繰出し型構造となっている。
【００３１】
棒状化粧品容器１Ａが二段式の繰出し型構造である場合には、例えば図９で示すように、外筒部材６Ａの長い垂直切欠部７の上端縁７ａは、棒状化粧品容器１Ａの使用時の第２上死点であり、一方、前記上端縁７ａから横或いは斜め方向にコースが変わって該長い垂直切欠部７に上方方向に連続する短い垂直切欠部３１の上端縁３１ａは、棒状化粧品８を内筒皿部材９に差し込むための第１上死点である。
【００３２】
したがって、例えば図８、図９、図１０等で示すように、この棒状化粧品容器の抜け防止構造Ｘ１は、内筒皿部材５の周側壁に切欠２４を介して弾性変位可能な押え爪片２５を形成し、この押え爪片の外面に凸部２６を設け、垂直切欠部を有する外筒部材６Ａを前記内筒皿部材９に外嵌合すると、前記外筒部材６Ａの下部内壁面１７が前記凸部２６を押し付け、これにより前記押え爪片２５は前記周側壁に接続する基部２５ａを基準として半径内方向に位置変位し、その内壁面が固形状の棒状化粧品８の外周面の一部に面接触状態に喰い込み、該棒状化粧品８を支持する棒状化粧品容器１Ａに適用される。
【００３３】
そこで、好ましい実施形態として、前記外筒部材６Ａの上部内壁面１５を、該上部内壁面に段差状１６に連続する前記下部内壁面１７に比して内径寸法が大きい拡径とし、図１０の場合で示すように、この拡径に内筒皿部材９の押え爪片２５の凸部２６が位置するときは、外筒部材６Ａの前記上部内壁面１５の押圧により該押え爪片は略半径内方向に位置変位しないようにする。
【００３４】
これに対して、図１１で示すように、外筒部材６Ａの前記下部内壁面１７に押え爪片２５の凸部２６が位置するときは、前記下部内壁面１７の押圧により該押え爪片２５は略半径内方向に位置変位し、さらに、前記垂直切欠部は、実施形態では、長い垂直切欠部７と、この長い垂直切欠部７に略Ｌ字形、略Ｊ字形など連通部を介してオフセット状態に連通する上位の短い垂直切欠部３１とから成る。
【００３５】
そして、上記長い垂直切欠部７の上端縁７ａは、棒状化粧品容器１Ａの使用時の第２上死点Ｐ２であり、一方、前記短い垂直切欠部３１の上端縁３１ａは、製造時、棒状化粧品８を前記内筒皿部材９に差し込むための第１上死点Ｐ１である。このように棒状化粧品容器１Ａを二段式の繰出し型構造にしても、本発明の課題を達成することができる。
【産業上の利用可能性】
【００３６】
本発明の棒状化粧品容器の抜け防止構造は、口紅、リップクリーム、スチックアイシャドウ、スチックチーク、スチックファンデーション、コンシーラー、日焼け止め化粧料、アイクリーム、整髪料等の固形化した棒状化粧品を収納する容器に適用することができる。
【符号の説明】
【００３７】
Ｘ、Ｘ１…棒状化粧品容器の抜け防止構造、
Ｐ１…第１上死点（差し込み位置）、
Ｐ２…第２上死点（使用位置）、
１、１Ａ…収納容器、
２…ハカマ部材、
３…螺旋溝、
４…螺旋部材、
５…リング状係止部分、
６、６Ａ…外筒部材、
６ａ、９ａ…下部筒部分、
６ｂ、９ｂ…上部筒部分、
７…長い垂直切欠部、
７ａ…長い垂直切欠部の上端縁、
８…棒状化粧品、
９…内筒皿部材、
１１…キャップ嵌合部、
１２…キャップ嵌合部材、
１３…キャップ、
２０…水平仕切部、
２４…切欠、
２５…押え爪片、
２５ａ…基部、
２６…凸部、
１５…外筒部材６、６Ａの上部内壁面、
１７…外筒部材６、６Ａの下部内壁面、
３１…短い垂直切欠部、
３１ａ…短い垂直切欠部の上端縁。
【図１】
0006744725.tif 000002
【図２】
0006744725.tif 000003
【図３】
0006744725.tif 000004
【図４】
0006744725.tif 000005
【図５】
0006744725.tif 000006
【図６】
0006744725.tif 000007
【図７】
0006744725.tif 000008
【図８】
0006744725.tif 000009
【図９】
0006744725.tif 000010
【図１０】
0006744725.tif 000011
【図１１】
0006744725.tif 000012
【図１２】
0006744725.tif 000013